(57)【要約】【課題】強い押し出し力で容器本体側から流動性の内容物が押し出される場合であっても、吐出部から吐出される内容物の勢いを十分に抑制することが可能な吐出容器を提供する。【解決手段】吐出容器１００は、流動性の内容物１５０を貯留する容器本体１０と、容器本体１０から内容物１５０を吐出する吐出部２０と、を備えている。吐出部２０は、容器本体１０側から流動してきた内容物１５０に圧損を与えつつ当該内容物１５０を通過させて吐出する通過障壁部３０と、通過障壁部３０の上流側で内容物１５０を外部に吐出する１つ又は複数の吐出口４１と、を有する。【選択図】図１
2017197202.tif 000002
【特許請求の範囲】
【請求項１】
流動性の内容物を貯留する容器本体と、
前記容器本体から前記内容物を吐出する吐出部と、
を備え、
前記吐出部は、
前記容器本体側から流動してきた前記内容物に圧損を与えつつ当該内容物を通過させて吐出する通過障壁部と、
前記通過障壁部の上流側で前記内容物を外部に吐出する１つ又は複数の吐出口と、
を有する吐出容器。
【請求項２】
前記通過障壁部は、前記内容物を通過可能な多数の開口が形成された多孔体である請求項１に記載の吐出容器。
【請求項３】
前記多孔体の前記多数の開口の合計開口面積よりも、前記１つ又は複数の吐出口の合計開口面積が大きい請求項２に記載の吐出容器。
【請求項４】
前記１つ又は複数の吐出口は、前記通過障壁部の上流側に隣接して配置されている請求項１から３のいずれか一項に記載の吐出容器。
【請求項５】
前記容器本体に前記内容物が貯留された状態で前記容器本体が圧搾されることにより、前記吐出部を介して前記内容物を吐出可能である請求項１から４のいずれか一項に記載の吐出容器。
【請求項６】
請求項１から５のいずれか一項に記載の吐出容器と、
前記容器本体に貯留されている前記内容物と、
を備える吐出容器詰め品。
【発明の詳細な説明】
【技術分野】
【０００１】
本発明は、吐出容器及び吐出容器詰め品に関する。
【背景技術】
【０００２】
所定の吐出操作によって流動性の内容物を吐出するように構成された吐出容器としては、例えば、特許文献１に記載されたものがある。
特許文献１の吐出容器においては、吐出口の手前にクランク状の狭隘な流路が形成されており、容器本体を圧搾（スクイズ）することによって、クランク状の流路を通して吐出口から内容液が吐出されるようになっている。同文献には、このような構成によって、吐出操作当初における内容液の勢いを抑制できる旨の記載がある。
【先行技術文献】
【特許文献】
【０００３】
【特許文献１】特開２０１４−１６６８７８号公報
【発明の概要】
【発明が解決しようとする課題】
【０００４】
特許文献１の技術は、内容液を、吐出口の手前に形成されたクランク状の狭隘な流路を通過させることにより、内容液の勢い及び通過流量を規制するものである。つまり、特許文献１の技術は、吐出口の手前にクランク状の流路を形成したことによって、内容液の吐出開始時における圧損を増大させるものに過ぎない。
このため、特許文献１の技術では、強い圧搾力で容器本体が圧搾されることによって、強い押し出し力で容器本体側から内容物が押し出された場合には、内容液の勢いを十分に抑制することができないと考えられる。
【０００５】
本発明は、上記の課題に鑑みなされたものであり、強い押し出し力で容器本体側から流動性の内容物が押し出される場合であっても、吐出部から吐出される内容物の勢いを十分に抑制することが可能な吐出容器及び吐出容器詰め品に関する。
【課題を解決するための手段】
【０００６】
本発明は、流動性の内容物を貯留する容器本体と、前記容器本体から前記内容物を吐出する吐出部と、を備え、前記吐出部は、前記容器本体側から流動してきた前記内容物に圧損を与えつつ当該内容物を通過させて吐出する通過障壁部と、前記通過障壁部の上流側で前記内容物を外部に吐出する１つ又は複数の吐出口と、を有する吐出容器を提供するものである。
【０００７】
また、本発明は、本発明の吐出容器と、前記容器本体に貯留されている前記内容物と、を備える吐出容器詰め品を提供するものである。
【発明の効果】
【０００８】
本発明によれば、強い押し出し力で容器本体側から流動性の内容物が押し出される場合であっても、吐出部から吐出される内容物の勢いを十分に抑制することが可能となる。
【図面の簡単な説明】
【０００９】
【図１】実施形態に係る吐出容器の側面図である。
【図２】実施形態に係る吐出容器の吐出部を含むキャップ部を示す斜視図である。
【図３】実施形態に係る吐出容器の吐出部を示す側面図である。
【図４】実施形態に係る吐出容器の吐出部を吐出方向側から視た構造を示す図である。
【図５】実施形態に係る吐出容器の吐出部の模式的な側断面図である。
【図６】実施形態に係る吐出容器の吐出部からの内容物の吐出時の様子の例を示す模式的な側面図である。
【図７】変形例に係る吐出容器の吐出部の模式的な側断面図である。
【発明を実施するための形態】
【００１０】
以下、本発明の実施形態について、図面を用いて説明する。なお、すべての図面において、同様の構成要素には同一の符号を付し、重複する説明は適宜に省略する。
【００１１】
図１ないしは図６に示すように、本実施形態に係る吐出容器１００は、流動性の内容物１５０を貯留する容器本体１０と、容器本体１０から内容物１５０を吐出する吐出部２０と、を備えている。
吐出部２０は、容器本体１０側から流動してきた内容物１５０に圧損を与えつつ当該内容物１５０を通過させて吐出する通過障壁部３０と、通過障壁部３０の上流側で内容物１５０を外部に吐出する１つ又は複数の吐出口４１と、を有する。
ここで、本発明において、通過障壁部３０の構成は特に限定されないが、本実施形態では、通過障壁部３０は、内容物１５０を通過可能な多数の開口３２（図５参照）が形成された多孔体であり、より詳細には、例えば、多数の開口３２が網目状に形成された膜体である網状体（メッシュ）３１である。
内容物１５０は、流動性のものであれば、その形態は特に限定されないが、液体やジェルなどの液状体であることが好ましい。ただし、内容物１５０は、流動性を呈する粉粒体などであっても良い。
または、内容物１５０の種類は、特に限定されないが、例えば、洗口液、うがい薬、飲料、又は液体洗剤などが挙げられる。なお、本実施形態において、以下の説明では、内容物１５０が洗口液であるものとする。
また、本実施形態に係る吐出容器詰め品２００は、本実施形態に係る吐出容器１００と、容器本体１０に貯留されている内容物１５０と、を備えている。
【００１２】
以下の説明では、特に断りがない場合、吐出容器１００の各構成要素の位置関係は、図１に示すように吐出容器１００を立てた状態での位置関係であるものとする。なお、この位置関係は、吐出容器１００及び吐出容器詰め品２００の製造時並びに使用時における各構成要素の位置関係を制限するものではない。
【００１３】
図１に示すように、容器本体１０は、有底の筒状に構成されている。より詳細には、容器本体１０は、例えば、筒状の胴部１１と、胴部１１の上側に連接されていて上方に向けて徐々に又は段階的に平断面積が縮小する形状の肩部１２と、肩部１２の上側に連接されている円筒状の口頸部１３と、胴部１１の下端部を閉塞している底部１４と、を備えて構成されている。
本実施形態の場合、吐出容器１００は、容器本体１０に内容物１５０が貯留された状態で容器本体１０が圧搾されることにより吐出部２０を介して内容物１５０を吐出可能となっている。すなわち、吐出容器１００は、いわゆるスクイズボトルである。
容器本体１０の材料は、特に限定されないが、容器本体１０は、圧搾操作により当該容器本体１０の内腔の体積を減少可能な程度に弾性変形可能に構成されている。好ましくは、容器本体１０は、合成樹脂により成形されている。
【００１４】
例えば、口頸部１３の外周面には図示しないねじ山が形成されており、口頸部１３には、詳細を後述するキャップ部５０が螺合することによって、該キャップ部５０が脱着可能に装着されている。すなわち、吐出容器１００は、容器本体１０と、容器本体１０に装着されたキャップ部５０と、を備えている。
【００１５】
図２に示すように、キャップ部５０は、例えば、装着部５１と、装着部５１の上側に連接されている支持台５２と、支持台５２の上側に連接されている吐出部２０と、を備えている。
吐出部２０は、例えば、支持台５２の上側に連接されている傾斜ノズル部２１と、傾斜ノズル部２１の上側に傾斜した状態で連接されている先端側ノズル部２２と、先端側ノズル部２２の傾斜した上面に設けられている通過障壁部３０（本実施形態の場合、網状体３１）と、を備えている。
【００１６】
このうち、装着部５１は、円筒状に形成されている。装着部５１の内周面には、口頸部１３のねじ山と螺合する図示しないねじ山が形成されている。装着部５１を口頸部１３と螺合させることにより、キャップ部５０が口頸部１３に対して脱着可能に装着されている。
支持台５２は、例えば、装着部５１と同軸の筒状に形成されている。支持台５２は、装着部５１よりも平面視における外形寸法が小さく設定されている。これにより、支持台５２及び吐出部２０をヒトの口内に容易に差し入れることができるようになっている。
傾斜ノズル部２１は、容器本体１０を把持する手の手首をさほど曲げなくても支持台５２及び吐出部２０を口内に容易に差し入れることができるように、装着部５１及び支持台５２の軸心に対して傾斜した姿勢で、支持台５２の上側に固定されている。傾斜ノズル部２１は、例えば、先端側に向けて窄まった形状となっている。
【００１７】
図３に示すように、傾斜ノズル部２１の先端に設けられた先端側ノズル部２２は、筒状部２３と、筒状部２３の周縁部と一体に設けられた複数の支持部２４と、を備えている。
筒状部２３の内部（例えば筒状部２３の中心）には、筒状部２３を軸心方向に貫通する吐出流路２３ａが形成されている。
複数の支持部２４は、図４に示すように、筒状部２３の周縁に沿って等間隔（等角度間隔）に配置されている。例えば、４つの支持部２４が、筒状部２３の周縁に沿って９０°間隔で配置されている。
図４に示すように、各支持部２４は、例えば、板状に形成されており、筒状部２３の外周面から、筒状部２３の径方向外方に向けて起立している。すなわち、例えば、複数の支持部２４が筒状部２３の外周面から放射状に起立している。
ここで、筒状部２３は、その軸方向が支持台５２及び装着部５１の軸方向に対して傾斜して配置されており（図２参照）、筒状部２３の先端面も傾斜している。
各支持部２４は、筒状部２３の傾斜した先端面よりも、筒状部２３の軸心方向において先端側（図１の状態で斜め上方）に突出している。筒状部２３の先端面からの各支持部２４の突出量（突出長）は、互いに等しく設定されている。
なお、各支持部２４が筒状部２３の先端面よりも先端側に突出している限りにおいて、筒状部２３の軸方向にて支持部２４が存在する範囲は、特に限定されない。一例として、図３に示すように、支持部２４の基端部（下端部）は、筒状部２３の基端部（下端部）に位置している。
【００１８】
図１から図４に示すように、本実施形態の場合、通過障壁部３０としての網状体３１が、先端側ノズル部２２の先端に設けられている。より詳細には、複数の支持部２４の先端面に対し、網状体３１の一方の面が、接着又は融着などの接合方法により固定されている。
これにより、網状体３１は、少なくとも筒状部２３の吐出流路２３ａの先端側の開口と対向する領域に配置されている（図４参照）。好ましくは、網状体３１は、筒状部２３の軸方向における先端側（つまり内容物１５０の吐出方向側）から視たときに、筒状部２３の外形線を包含する領域に配置されている。更に好ましくは、図４に示すように、網状体３１は、内容物１５０の吐出方向側から視たときに、複数の支持部２４の外形線をまとめて包含する領域に配置されている。
内容物１５０の吐出方向側から視た網状体３１の形状は、特に限定されないが、例えば、図４に示すような矩形状とすることができる。
網状体３１の開口３２の数及び各開口３２の寸法は特に限定されないが、開口３２の開口面積は、内容物１５０が開口３２を通過する際に適度の圧損が生じる程度に狭く設定されている。
一例として、網状体３１のメッシュ数は、２５０以上が好ましく、３００以上が更に好ましい。また、網状体３１の開口率は５０％以下が好ましく、４０％以下が更に好ましい。
【００１９】
ここで、上記のように、各支持部２４は、筒状部２３の先端面から、互いに等量ずつ突出している。このため、図３及び図４に示すように、筒状部２３の先端面と網状体３１の間には、複数の支持部２４のうち互いに隣り合う支持部２４どうしの間隙により構成された吐出口４１が形成されている。すなわち、各吐出口４１は、筒状部２３の先端面と、網状体３１と、互いに隣り合う２つの支持部２４と、によって画定されている。本実施形態の場合、筒状部２３の先端面の周縁には、複数の（例えば４つの）吐出口４１が等角度間隔で配置されている。
なお、ここで説明する吐出口４１の個数は一例であり、吐出口４１の個数は２又は３であっても良いし、５以上であっても良い。また、吐出口４１の個数は１（単数）であっても良い。
吐出口４１は、筒状部２３の径方向外方に開口している。つまり、吐出口４１の開口方向は、吐出流路２３ａにおける内容物１５０の流動方向、並びに、網状体３１を通過する内容物１５０の流動方向に対して交差する方向（例えば直交する方向）となっている。
【００２０】
ここで、網状体３１の開口３２（図５参照）の開口面積と吐出口４１の開口面積との関係は特に限定されないが、網状体（多孔体）３１の多数の開口３２の合計開口面積よりも、１つ又は複数の吐出口４１の合計開口面積が大きいことが好ましい。このようにすることによって、より確実に、吐出口４１から吐出される内容物１５０の流れを十分に形成することができる。
ここで、網状体３１の多数の開口３２の合計開口面積とは、網状体３１において吐出流路２３ａの先端の開口と対向する部分における開口３２の合計開口面積を意味する。
また、本実施形態の場合、例えば、各吐出口４１の形状は矩形状であり、網状体３１と筒状部２３の先端面とによって吐出口４１の高さ寸法ｈ（図３）が規定され、互いに隣り合う支持部２４どうしの最小の間隙により吐出口４１の幅寸法Ｗ（図４）が規定されている。このため、各吐出口４１の開口面積は、ｈ×Ｗにより求められる。なお、吐出口４１の形状は、矩形に限らず、他の形状であっても良い。
【００２１】
また、１つ又は複数の吐出口４１は、網状体３１（通過障壁部３０）の上流側に離間して配置されていても良いが、網状体３１の上流側に隣接して配置されていることが好ましい。このことによっても、より確実に、吐出口４１から吐出される内容物１５０の流れを十分に形成することができる。しかも、吐出部２０をよりコンパクトに構成することができる。
【００２２】
筒状部２３の吐出流路２３ａは、キャップ部５０に形成された連絡流路６１（図５）を介して、容器本体１０の内部空間（つまり内容物１５０が貯留される空間）と連通している。本実施形態の場合、連絡流路６１は、少なくとも傾斜ノズル部２１を支持台５２側から筒状部２３側に貫通している。支持台５２は装着部５１と同様に筒状であっても良いし、支持台５２には傾斜ノズル部２１と同様に連絡流路６１の一部分が形成されていても良い。なお、図５は模式図であり、図５に示される支持部２４等の形状は必ずしも正確ではない。
【００２３】
次に、吐出容器詰め品２００の容器本体１０を圧搾操作することによって内容物１５０を吐出させる動作の一例について説明する。
【００２４】
図５又は図６に示すように、吐出容器１００を上下逆さまにした状態で、容器本体１０に対して圧搾操作を行うことによって、容器本体１０内の内容物１５０は、連絡流路６１及び吐出流路２３ａをこの順に介して、筒状部２３の先端面と網状体３１との間隙に到達する。
筒状部２３の先端面と網状体３１との間隙に到達した内容物１５０は、一部が網状体３１において吐出流路２３ａと対向する部位に形成されている開口３２を介して外部に吐出される。また、他の一部の内容物１５０は、筒状部２３の先端面と網状体３１との間隙に広がるとともに、網状体３１において筒状部２３の先端面と対向する部位に形成されている開口３２を介して外部に吐出される。更に他の一部の内容物１５０は、吐出口４１から外部に吐出される。より詳細には、吐出口４１からは、内容物１５０が吐出部２０の側方に放射状に吐出される。
このように、吐出部２０の網状体３１は、容器本体１０側から流動してきた内容物１５０に圧損を与えつつ当該内容物１５０を通過させて吐出する。
吐出口４１から吐出された内容物１５０は、筒状部２３の先端における吐出部２０の側周面に沿って迂回して、網状体３１の外面側（図５及び図６において下面側）に回り込み、網状体３１を通過した内容物１５０と合流し、流下する。
【００２５】
ここで、連絡流路６１及び吐出流路２３ａを通して筒状部２３の先端面と網状体３１との間隙に到達した内容物１５０は、吐出口４１を介して外部に吐出されるものと、網状体３１を通して外部に吐出されるものとに分流される。
また、吐出口４１を介して外部に吐出されるものと、網状体３１を通して外部に吐出されるものとの双方が、開放系の空間に放出された後に合流し、共に流下することとなる。
このため、容器本体１０を圧搾する力が強い場合、つまり強い押し出し力で容器本体１０側から流動性の内容物１５０が押し出されて、連絡流路６１及び吐出流路２３ａを通過し、吐出部２０から吐出される場合でも、吐出部２０から吐出された内容物１５０の勢いを極めて緩やかにすることができる。よって、内容物１５０が意図しない位置に飛散してしまうことを十分に抑制できるため、内容物１５０を口腔内の所望の位置に注出することができる。
【００２６】
以上のような実施形態に係る吐出容器１００及び吐出容器詰め品２００は、吐出部２０は、容器本体１０側から流動してきた内容物１５０に圧損を与えつつ当該内容物１５０を通過させて吐出する通過障壁部３０（例えば網状体３１）と、通過障壁部３０の上流側で内容物１５０を外部に吐出する１つ又は複数の吐出口４１と、を備えている。これにより、強い押し出し力で容器本体１０側から流動性の内容物１５０が押し出される場合であっても、吐出部２０から吐出される内容物１５０の勢いを十分に抑制することができる。
【００２７】
＜変形例＞
次に、図７を用いて変形例に係る吐出領域の吐出部２０の構造を説明する。
上記の実施形態では、通過障壁部３０が網状体３１である例を説明したが、本発明において、通過障壁部３０は網状体３１に限定されない。詳細な構造の説明は省略するが、通過障壁部３０は、例えば、内部にクランク状の流路が形成された構造体であり、当該クランク状の流路を通して内容物１５０を吐出するようになっていても良い。
或いは、通過障壁部３０が多孔体である場合であっても、多孔体は、必ずしも膜状のものでなくても良く、板状又はブロック状などの本体に、当該本体を厚み方向に貫通する多数の開口が形成されたものなどであっても良い。
なお、図７に示すように、吐出部２０は、必ずしも傾斜ノズル部２１を備えていなくても良い。
【００２８】
本発明は上述の実施形態及び変形例に限定されるものではなく、本発明の目的が達成される限りにおける種々の変形、改良等の態様も含む。実施形態及び各変形例において説明された事項は適宜、組み合わせることが可能である。
【００２９】
例えば、上記においては、吐出流路２３ａが常時において容器本体１０の内部空間と連通している例を説明したが、吐出部２０は、いわゆるプッシュプル式のものなどのように、吐出流路２３ａと容器本体１０の内部空間とを相互に連通させる状態と相互に遮断する状態との切り替えが可能な構造のものであることが好ましい。
また、キャップ部５０は、吐出部２０及び支持台５２を覆うことが可能な蓋部を備えていることも好ましい。蓋部は、装着部５１に対して開閉可能にヒンジ部を介して連結されていても良いし、装着部５１に対して着脱可能となっていても良い。
【００３０】
また、吐出容器１００の各構成要素は、個々に独立した存在である必要はない。複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００３１】
上記実施形態は、以下の技術思想を包含する。
＜１＞流動性の内容物を貯留する容器本体と、前記容器本体から前記内容物を吐出する吐出部と、を備え、前記吐出部は、前記容器本体側から流動してきた前記内容物に圧損を与えつつ当該内容物を通過させて吐出する通過障壁部と、前記通過障壁部の上流側で前記内容物を外部に吐出する１つ又は複数の吐出口と、を有する吐出容器。
＜２＞前記通過障壁部は、前記内容物を通過可能な多数の開口が形成された多孔体である＜１＞に記載の吐出容器。
＜３＞前記多孔体の前記多数の開口の合計開口面積よりも、前記１つ又は複数の吐出口の合計開口面積が大きい＜２＞に記載の吐出容器。
＜４＞前記１つ又は複数の吐出口は、前記通過障壁部の上流側に隣接して配置されている＜１＞から＜３＞のいずれか一項に記載の吐出容器。
＜５＞前記容器本体に前記内容物が貯留された状態で前記容器本体が圧搾されることにより、前記吐出部を介して前記内容物を吐出可能である＜１＞から＜４＞のいずれか一項に記載の吐出容器。
＜６＞＜１＞から＜５＞のいずれか一項に記載の吐出容器と、前記容器本体に貯留されている前記内容物と、を備える吐出容器詰め品。
【符号の説明】
【００３２】
１０  容器本体
１１  胴部
１２  肩部
１３  口頸部
１４  底部
２０  吐出部
２１  傾斜ノズル部
２２  先端側ノズル部
２３  筒状部
２３ａ  吐出流路
２４  支持部
３０  通過障壁部
３１  網状体（多孔体）
３２  開口
４１  吐出口
５０  キャップ部
５１  装着部
５２  支持台
６１  連絡流路
１００  吐出容器
１５０  内容物
２００  吐出容器詰め品
【図１】
2017197202.tif 000003
【図２】
2017197202.tif 000004
【図３】
2017197202.tif 000005
【図４】
2017197202.tif 000006
【図５】
2017197202.tif 000007
【図６】
2017197202.tif 000008
【図７】
2017197202.tif 000009